(57)【要約】 室外ユニット１００は、ユニット本体１００Ａと、ユニット本体１００Ａの内部に設置される空気熱交換器１００Ｂと、ユニット本体１００Ａの内部に設置される制御コントローラ１００Ｃと、回転軸が空気熱交換器１００Ｂと水平になるようにユニット本体１００Ａに設置されたファン１００Ｅ１と、回転軸が空気熱交換器１００Ｂと垂直になるようにユニット本体１００Ａに設置されたファン１００Ｅ２と、を備えている。
2015098157.tif 000002
【特許請求の範囲】
【請求項１】
ユニット本体と、
前記ユニット本体の内部に設置される空気熱交換器と、
回転軸が前記空気熱交換器と水平になるように前記ユニット本体に設置された第１ファンと、
回転軸が前記空気熱交換器と垂直になるように前記ユニット本体に設置された第２ファンと、
を備えた
ことを特徴とする室外ユニット。
【請求項２】
前記ユニット本体の内部に設置される制御コントローラと、
前記制御コントローラの排熱を行うヒートシンクと、
前記ヒートシンクを覆い、前記ヒートシンクを通過する風速を増加させる風路ダクトと、を備えた
ことを特徴とする請求項１に記載の室外ユニット。
【請求項３】
前記風路ダクトは、
前記第２ファンの回転軸に対して垂直になるように設置されている
ことを特徴とする請求項２に記載の室外ユニット。
【請求項４】
前記制御コントローラは、
ファン風量を少なくする必要があると判断すると、前記第１ファン又は前記第２ファンのいずれか一方を運転させる
ことを特徴とする請求項２又は３に記載の室外ユニット。
【請求項５】
前記制御コントローラは、
予め設定されている優先順位に従って前記第１ファン又は前記第２ファンのいずれか一方を運転させる
ことを特徴とする請求項４に記載の室外ユニット。
【請求項６】
請求項１〜５のいずれか一項に記載の室外ユニットと、
前記室外ユニットに接続される負荷側ユニットと、を備えた
ことを特徴とする冷凍サイクル装置。
【発明の詳細な説明】
【技術分野】
【０００１】
本発明は、制御機器等の設置スペースを確保しつつ、性能維持を図るようにした室外ユニット及び冷凍サイクル装置に関するものである。
【背景技術】
【０００２】
従来から、空気調和装置等の冷凍サイクル装置を構成している室外ユニットに搭載されている空気熱交換器において、空気の風量を均一化したり、空気の吸込み方法を改善したりする技術は数多く提案されている。そのようなものとして、「ホットアイル側の高温排気を機内に導入する排気導入部と、二重床空間からの冷却空気を機内に導入する冷気導入部と、冷却空気をコールドアイル側に吹き出す送風ファンと、吹き出し空気の供給源を、排気導入部からの排気又は冷気導入部からの冷気、のいずれか一方に切り替え可能とする流路切替手段と、を備えて成るラック型空調機」が開示されている（例えば、特許文献１参照）。
【先行技術文献】
【特許文献】
【０００３】
【特許文献１】特開２００９−２３６３３５号公報（図１、図２等参照）
【発明の概要】
【発明が解決しようとする課題】
【０００４】
特許文献１に示されているようなサイドフロー形態の室外ユニットは、構造上、空気熱交換器の風量分布を均一にできるが、一方デメリットとしてファンの下部等の少ないスペースに制御コントローラを設置する必要がある。
また、トップフロー形態の室外ユニットは、制御コントローラの設置スペースを確保できるが、一方デメリットとして空気熱交換器を通る空気の風量分布を均一にすることが困難であり、性能低下を招く要因となる。【０００５】
本発明は、上記のような課題を解決するためになされたもので、制御機器等の設置スペースの確保、及び、性能維持の両方を実現可能とする室外ユニット及び冷凍サイクル装置を提供することを目的とする。
【課題を解決するための手段】
【０００６】
本発明に係る室外ユニットは、ユニット本体と、前記ユニット本体の内部に設置される空気熱交換器と、回転軸が前記空気熱交換器と水平になるように前記ユニット本体に設置された第１ファンと、回転軸が前記空気熱交換器と垂直になるように前記ユニット本体に設置された第２ファンと、を備えたものである。【０００７】
本発明に係る冷凍サイクル装置は、上記の室外ユニットと、前記室外ユニットに接続される負荷側ユニットと、を備えたものである。
【発明の効果】
【０００８】
本発明に係る室外ユニットによれば、トップフロー形態とサイドフロー形態とを組み合わせたハイブリットフロー形態が採用されているので、制御コントローラ等の設置スペースを確保しつつ、空気熱交換器の上部と下部とに通過する風量分布の不均一を抑え、性能維持を図ることができる。【０００９】
本発明に係る冷凍サイクル装置によれば、上記の室外ユニットを備えているので、制御コントローラ等の設置スペースを確保しつつ、空気熱交換器の上部と下部とに通過する風量分布の不均一を抑え、性能維持を図ることができる。
【図面の簡単な説明】
【００１０】
【図１Ａ】従来から存在している一般的なサイドフロー形態の室外ユニットを上面方向から見た概略図である。
【図１Ｂ】従来から存在している一般的なサイドフロー形態の室外ユニットを側面方向から見た概略図である。
【図２Ａ】従来から存在している一般的なトップフロー形態の室外ユニットを上面方向から見た概略図である。
【図２Ｂ】従来から存在している一般的なトップフロー形態の室外ユニットを側面方向から見た概略図である。
【図３Ａ】本発明の実施の形態１に係る室外ユニットを上面方向から見た概略図である。
【図３Ｂ】本発明の実施の形態１に係る室外ユニットを側面方向から見た概略図である。
【図４】本発明の実施の形態１に係る室外ユニットのファン台数制御の際の処理の流れを示すフローチャートである。
【図５Ａ】本発明の実施の形態２に係る室外ユニットを上面方向から見た概略図である。
【図５Ｂ】本発明の実施の形態２に係る室外ユニットを側面方向から見た概略図である。
【図６】本発明の実施の形態３に係る冷凍サイクル装置の回路構成を概略的に示す冷媒回路図である。
【発明を実施するための形態】
【００１１】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１２】
実施の形態１．
本発明の実施の形態１に係る室外ユニットを説明する前に、従来から存在している冷凍サイクル室外ユニットについて説明する。図１Ａは、従来から存在している一般的なサイドフロー形態の室外ユニット（以下、室外ユニット５００と称する）を上面方向から見た概略図である。図１Ｂは、室外ユニット５００を側面方向から見た概略図である。まず、図１Ａ及び図１Ｂに基づいて、室外ユニット５００の構成について説明する。
【００１３】
室外ユニット５００は、室外ユニット５００の外郭を構成するユニット本体５００Ａと、ユニット本体５００Ａの内部に設置される空気熱交換器５００Ｂと、ユニット本体５００Ａの内部に設置される制御コントローラ５００Ｃと、ユニット本体５００Ａの内部下方に形成され、図示省略の圧縮機などが設置される機械室５００Ｄと、ユニット本体５００Ａの内部に設置されるファン５００Ｅと、を有している。
【００１４】
空気熱交換器５００Ｂは、ユニット本体５００Ａの内部で、ユニット本体５００Ａの側面に沿うように設置される。図１Ａでは、空気熱交換器５００Ｂが、ユニット本体５００Ａの３つの側面に沿って設置されている状態を例に示している。
制御コントローラ５００Ｃは、室外ユニット５００を統括制御するものであり、ユニット本体５００Ａの内部で、ユニット本体５００Ａの１つの側面に沿って設置される。図１Ａでは、制御コントローラ５００Ｃが、空気熱交換器５００Ｂが設置されていないユニット本体５００Ａの側面に沿って設置されている状態を例に示している。
【００１５】
機械室５００Ｄは、ユニット本体５００Ａを構成するパネルで囲まれた空間によって形成され、図示省略の圧縮機などが設置される。
ファン５００Ｅは、ユニット本体５００Ａの内部で、ユニット本体５００Ａの側面に設置される。具体的には、ファン５００Ｅは、ファン５００Ｅの回転軸と空気熱交換器５００Ｂとが垂直になるようにユニット本体５００Ａの内部に設置される。図１Ａでは、ファン５００Ｅは、空気熱交換器５００Ｂが設置されていないユニット本体５００Ａの側面に沿って、上下方向に２つ並べて設置されている状態を例に示している。
【００１６】
このように構成することによって、室外ユニット５００では、空気熱交換器５００Ｂの風量分布の均一化を図り、高性能化を達成している。しかし、ファン５００Ｅをユニット本体５００Ａの側面に設置することで、制御コントローラ５００Ｃ等の設置スペースが少なくなり、メンテナンス性が複雑となってしまうという課題があった。
【００１７】
図２Ａは、従来から存在している一般的なトップフロー形態の室外ユニット（以下、室外ユニット６００と称する）を上面方向から見た概略図である。図２Ｂは、室外ユニット６００を側面方向から見た概略図である。次に、図２Ａ及び図２Ｂに基づいて、室外ユニット６００の構成について説明する。室外ユニット６００は、図２Ａに示すように２つのユニット本体６００Ａが並べられて構成されている。
【００１８】
室外ユニット６００は、室外ユニット６００の外郭を構成する２つのユニット本体６００Ａと、ユニット本体６００Ａの内部にそれぞれ設置される空気熱交換器６００Ｂと、ユニット本体６００Ａの内部にそれぞれ設置される制御コントローラ６００Ｃと、ユニット本体６００Ａの内部下方に形成され、図示省略の圧縮機などがそれぞれ設置される機械室６００Ｄと、ユニット本体６００Ａの内部にそれぞれ設置されるファン６００Ｅと、を有している。なお、制御コントローラ６００Ｃ及び機械室６００Ｄを、２つのユニット本体６００Ａに共通のものとしてもよい。
【００１９】
空気熱交換器６００Ｂは、ユニット本体６００Ａの内部で、ユニット本体６００Ａの側面に沿うように設置される。図２Ａでは、空気熱交換器６００Ｂが、それぞれのユニット本体６００Ａの３つの側面に沿って設置されている状態を例に示している。
制御コントローラ６００Ｃは、室外ユニット６００を統括制御するものであり、ユニット本体６００Ａの内部で、ユニット本体６００Ａの１つの側面に沿って設置される。図２Ａでは、制御コントローラ６００Ｃが、空気熱交換器６００Ｂが設置されていないユニット本体６００Ａの側面に沿って設置されている状態を例に示している。
【００２０】
機械室６００Ｄは、ユニット本体６００Ａを構成するパネルで囲まれた空間によって形成され、図示省略の圧縮機などが設置される。
ファン６００Ｅは、ユニット本体６００Ａの内部で、ユニット本体６００Ａの上面（天板面）に設置される。具体的には、ファン６００Ｅは、ファン６００Ｅの回転軸と空気熱交換器６００Ｂとが水平になるようにユニット本体６００Ａの内部上方に設置される。
【００２１】
このように構成することによって、室外ユニット６００では、空気熱交換器６００Ｂの排熱をユニット本体６００Ａの上方に排出することが可能になっている。しかし、ユニット本体６００Ａの天板面にファン６００Ｅを設けることにより、空気熱交換器６００Ｂの上部と下部とでファン６００Ｅまでの距離が異なることから、空気熱交換器６００Ｂの上部と下部との通過する風量に差が生じ、風量分布が不均一になることで、性能低下を招いてしまうという課題があった。
【００２２】
図３Ａは、本発明の実施の形態１に係る室外ユニット（以下、室外ユニット１００と称する）を上面方向から見た概略図である。図３Ｂは、室外ユニット１００を側面方向から見た概略図である。図３Ａ及び図３Ｂに基づいて、室外ユニット１００の構成について説明する。室外ユニット１００は、負荷側ユニット（例えば、冷蔵庫や冷凍庫など）と配管接続され、負荷側ユニットに冷熱を供給するものである。負荷側ユニットについては、実施の形態３で説明する。
【００２３】
室外ユニット１００は、室外ユニット１００の外郭を構成するユニット本体１００Ａと、ユニット本体１００Ａの内部に設置される空気熱交換器１００Ｂと、ユニット本体１００Ａの内部に設置される制御コントローラ１００Ｃと、ユニット本体１００Ａの内部下方に形成され、圧縮機（実施の形態３で説明する圧縮機４０１）などが設置される機械室１００Ｄと、ユニット本体１００Ａに設置されるファン１００Ｅ１、ファン１００Ｅ２と、を有している。
【００２４】
空気熱交換器１００Ｂは、ユニット本体１００Ａの内部で、ユニット本体１００Ａの側面に沿うように設置される。図３Ａでは、空気熱交換器１００Ｂが、ユニット本体１００Ａの３つの側面に沿って設置されている状態を例に示している。
制御コントローラ１００Ｃは、室外ユニット１００を統括制御するものであり、ユニット本体１００Ａの内部で、ユニット本体１００Ａの１つの側面に沿って設置される。図３Ａでは、制御コントローラ１００Ｃが、空気熱交換器１００Ｂが設置されていないユニット本体１００Ａの側面に沿って設置されている状態を例に示している。また、図３Ａ及び図３Ｂに示すように、制御コントローラ１００Ｃは、ファン１００Ｅ２の下側に配置されている。
機械室１００Ｄは、ユニット本体１００Ａを構成するパネルで囲まれた空間によって形成され、圧縮機（実施の形態３で説明する圧縮機４０１）などが設置される。
【００２５】
ファン１００Ｅ１は、ユニット本体１００Ａの上面（天板面）に設置される。具体的には、ファン１００Ｅ１は、ファン１００Ｅ１の回転軸と空気熱交換器１００Ｂとが水平になるようにユニット本体１００Ａの上方に設置される。なお、ファン１００Ｅ１は、ユニット本体１００Ａの内部に設置してもよく、ユニット本体１００Ａと連通していればユニット本体１００Ａの外部に設置してもよい。なお、ファン１００Ｅ１の回転軸と空気熱交換器１００Ｂとが水平になっているということには、完全な水平状態だけでなく、完全な水平状態から多少ずれているものも含んでいる。
ファン１００Ｅ１が、本発明の「第１ファン」に相当する。
【００２６】
ファン１００Ｅ２は、ユニット本体１００Ａの内部で、ユニット本体１００Ａの側面に設置される。具体的には、ファン１００Ｅ２は、ファン１００Ｅ２の回転軸と空気熱交換器１００Ｂとが垂直になるようにユニット本体１００Ａの内部に設置される。図３Ａでは、ファン１００Ｅ２は、空気熱交換器１００Ｂが設置されていないユニット本体１００Ａの側面に沿って設置されている状態を例に示している。なお、ファン１００Ｅ２の回転軸と空気熱交換器１００Ｂとが垂直になっているということには、完全な垂直状態だけでなく、完全な垂直状態から多少ずれているものも含んでいる。
ファン１００Ｅ２が、本発明の「第２ファン」に相当する。
【００２７】
すなわち、室外ユニット１００は、トップフロー形態とサイドフロー形態とを組み合わせたハイブリットフロー形態となっている。室外ユニット５００では、図１Ａに示すようにファン５００Ｅを上下方向に２つ並べて設置しなければならなかったが、室外ユニット１００では、ファン１００Ｅ１を設置することにより、ファン１００Ｅ２を上下方向に２つ並べて設置しなくて済み、その分、制御コントローラ１００Ｃ等の設置スペースを確保することを可能としている。つまり、図３Ｂに示すように、制御コントローラ１００Ｃを機械室１００Ｄよりも上方に設置することができ、機械室１００Ｄのスペースを多く確保できる。
【００２８】
また、ファン１００Ｅ１だけでなく、ファン１００Ｅ２を設置することにより、室外ユニット１００では、空気熱交換器１００Ｂの上部と下部とに通過する風量分布の不均一を抑え、性能維持が可能となっている。
【００２９】
図４は、室外ユニット１００のファン台数制御の際の処理の流れを示すフローチャートである。図３Ａ、図３Ｂ及び図４に基づいて、室外ユニット１００のファン風量を少なくする場合におけるファン台数制御について説明する。なお、図４では、ファン１００Ｅ１を優先的に運転させる場合を例に説明するが、ファン１００Ｅ２を優先的に運転させるようにしてもよい。
【００３０】
室外ユニット１００は、ファン１００Ｅ１を優先的に運転させることを予め設定することができる上部ファン優先スイッチを制御コントローラ１００Ｃ内に有している。室外ユニット１００が運転を開始すると、制御コントローラ１００Ｃは、ファン台数制御を開始するかどうかを判断する（ステップＳ１０１）。制御コントローラ１００Ｃは、ファン風量を少なくする必要があるかどうかによって、ファン台数制御を開始するかどうかを判断する。ファン台数制御を開始する必要がないと判断すると（ステップＳ１０１；Ｎ）、制御コントローラ１００Ｃは、ファン１００Ｅ１及びファン１００Ｅ２の全部を運転させる（ステップＳ１０６）。
【００３１】
ファン台数制御を開始する必要があると判断すると（ステップＳ１０１；Ｙ）、制御コントローラ１００Ｃは、上部ファン優先スイッチの状態を判断する（ステップＳ１０２）。上部ファン優先スイッチがＯＮの場合（ステップＳ１０２；Ｙ）、制御コントローラ１００Ｃは、ファン１００Ｅ１のみを運転させ、ファン１００Ｅ２を停止させる（ステップＳ１０３）。一方、上部ファン優先スイッチがＯＮでない場合（ステップＳ１０２；Ｎ）、制御コントローラ１００Ｃは、ファン１００Ｅ２のみを運転させ、ファン１００Ｅ１を停止させる（ステップＳ１０４）。
【００３２】
その後、制御コントローラ１００Ｃは、ファン台数制御を終了するかどうかを判断する（ステップＳ１０５）。ファン台数制御を終了しないと判断すると（ステップＳ１０５；Ｎ）、制御コントローラ１００Ｃは、ステップＳ１０２に戻って処理を繰り返す。一方、ファン台数制御を終了すると判断すると（ステップＳ１０５；Ｙ）、制御コントローラ１００Ｃは、ファン１００Ｅ１及びファン１００Ｅ２の全部を運転させる（ステップＳ１０６）。
【００３３】
以上のように、制御コントローラ１００Ｃは、予め設定されている優先順位に従ってファン１００Ｅ１又はファン１００Ｅ２のいずれか一方を運転させて、ファン風量を少なくする。
【００３４】
なお、上部ファン優先スイッチは、室外ユニット１００の設置環境に合わせて予め設定することが可能となっている。また、室外ユニット１００の設置場所にて切り替えが自在となっている。さらに、リモコンなどを使用して遠隔操作により、上部ファン優先スイッチの切り替えを自在にしてもよい。
【００３５】
実施の形態２．
図５Ａは、本発明の実施の形態２に係る室外ユニット（以下、室外ユニット２００と称する）を上面方向から見た概略図である。図５Ｂは、室外ユニット２００を側面方向から見た概略図である。図５Ａ及び図５Ｂに基づいて、室外ユニット２００の構成について説明する。この実施の形態２では、実施の形態１との相違点を中心に説明するものとする。
【００３６】
室外ユニット２００は、実施の形態１に係る室外ユニット１００と同様に、負荷側ユニット（例えば、冷蔵庫や冷凍庫など）と配管接続され、負荷側ユニットに冷熱を供給するものである。負荷側ユニットについては、実施の形態３で説明する。
【００３７】
室外ユニット２００の基本構成は、実施の形態１に係る室外ユニット１００と同様である。なお、便宜的にユニット本体２００Ａ、空気熱交換器２００Ｂ、制御コントローラ２００Ｃ、機械室２００Ｄ、ファン２００Ｅ１、及び、ファン２００Ｅ２としているが、これらは実施の形態１で説明したユニット本体１００Ａ、空気熱交換器１００Ｂ、制御コントローラ１００Ｃ、機械室１００Ｄ、ファン１００Ｅ１、及び、ファン１００Ｅ２と同じ構成である。
つまり、ファン２００Ｅ１が本発明の「第１ファン」に相当し、ファン２００Ｅ２が本発明の「第２ファン」に相当する。
【００３８】
室外ユニット２００は、ユニット本体２００Ａ、空気熱交換器２００Ｂ、制御コントローラ２００Ｃ、機械室２００Ｄと、ファン２００Ｅ１、ファン２００Ｅ２の他に、ヒートシンク２０１、風路ダクト２０２を有している点で、実施の形態１に係る室外ユニット１００と相違している。
【００３９】
ヒートシンク２０１は、制御コントローラ２００Ｃの排熱を行うものであり、ユニット本体２００Ａの内部であって制御コントローラ２００Ｃの裏面側に設けられている。
風路ダクト２０２は、ヒートシンク２０１を覆い、ヒートシンク２０１を通過する風速を増加させて熱交換量を増加させるものであり、一端側がファン２００Ｅ２の周囲に位置するように設けられている。また、風路ダクト２０２は、ファン２０２Ｅ２の回転軸に対して垂直方向となるように設置されている。
【００４０】
すなわち、室外ユニット２００は、トップフロー形態とサイドフロー形態とを組み合わせたハイブリットフロー形態となっている。室外ユニット５００では、図１Ａに示すようにファン５００Ｅを上下方向に２つ並べて設置しなければならなかったが、室外ユニット２００では、ファン２００Ｅ１を設置することにより、ファン２００Ｅ２を上下方向に２つ並べて設置しなくて済み、その分、制御コントローラ２００Ｃ等の設置スペースを確保することを可能としている。つまり、図５Ｂに示すように、制御コントローラ２００Ｃを機械室２００Ｄよりも上方に設置することができ、機械室２００Ｄのスペースを多く確保できる。
【００４１】
また、ファン２００Ｅ１だけでなく、ファン２００Ｅ２を設置することにより、室外ユニット２００では、空気熱交換器２００Ｂの上部と下部とに通過する風量分布の不均一を抑え、性能維持が可能となっている。
【００４２】
加えて、室外ユニット２００によれば、ヒートシンク２０１を設けているので、制御コントローラ２００Ｃの冷却を効率よく実行することができる。また、室外ユニット２００によれば、風路ダクト２０２を設け、機械室２００Ｄのスペースを多く確保できることで、より多くの風量を風路ダクト２０２に吸い込むことが可能になり、ファン２００Ｅ２を少ない回転数としてもヒートシンク２０１の排熱が可能となる。
【００４３】
なお、室外ユニット２００においても、実施の形態１に係る室外ユニット１００と同様にファン台数制御が可能である。
【００４４】
以上のように、室外ユニット１００、室外ユニット２００によれば、トップフロー形態とサイドフロー形態とを組み合わせたハイブリットフロー形態を採用しているので、制御コントローラの設置スペースを確保しつつ、性能維持の両方を実現することができる。
【００４５】
実施の形態３．
図６は、本発明の実施の形態３に係る冷凍サイクル装置４００の回路構成を概略的に示す冷媒回路図である。図６に基づいて、冷凍サイクル装置４００の構成及び動作について説明する。実施の形態３に係る冷凍サイクル装置４００は、実施の形態１に係る室外ユニット１００又は実施の形態２に係る室外ユニット２００を備えているものである。ただし、以下の説明においては、実施の形態１に係る室外ユニット１００を備えているものとする。
【００４６】
冷凍サイクル装置４００、室外ユニット１００と、負荷側ユニット３００と、が配管接続されて構成されている。負荷側ユニット３００は、利用側ユニットや室内ユニット等とも称される。
【００４７】
［室外ユニット１００］
室外ユニット１００は、たとえば建物の屋上等の室外に設置され、負荷側ユニット３００に温熱又は冷熱を供給する機能を有している。室外ユニット１００には、少なくとも圧縮機４０１と、流路切替手段である四方弁４０２と、空気熱交換器１００Ｂと、アキュムレーター４０３と、が直列に接続されて搭載されている。なお、室外ユニット１００には、実施の形態１で説明したように、空気熱交換器１００Ｂに空気を強制的に供給するためのファン１００Ｅ１、ファン１００Ｅ２が設けられている。
【００４８】
圧縮機４０１は、冷媒を吸入し、その冷媒を圧縮して高温・高圧の状態にするものである。
四方弁４０２は、負荷側ユニット３００の運転モードに応じて冷媒の流れを切り替えるものである。
空気熱交換器１００Ｂは、運転モードに応じて蒸発器や放熱器（凝縮器）として機能し、ファン１００Ｅ１、ファン１００Ｅ２から供給される空気と冷媒との間で熱交換を行ない、冷媒を蒸発ガス化又は凝縮液化するものである。
アキュムレーター４０３は、圧縮機４０１の吸入側に配置され、余剰冷媒を貯留するものである。
【００４９】
制御コントローラ１００Ｃは、マイコン等で構成されており、図示省略の各種検知手段での検出情報及び図示省略のリモコンからの指示に基づいて、圧縮機４０１の駆動周波数、ファン１００Ｅ１、ファン１００Ｅ２の回転数、四方弁４０２の切り替え、後述する膨張弁４０４の開度を制御するようになっている。
【００５０】
［負荷側ユニット３００］
負荷側ユニット３００は、たとえば室内空間や冷蔵庫、冷凍庫等の対象空間に設置され、室外ユニット１００からの温熱又は冷熱の供給を受けて対象空間の加温（暖房）又は冷却（冷房）を行なう機能を有している。負荷側ユニット３００には、少なくとも膨張弁４０４と、負荷側熱交換器４０５と、が直列に接続されて搭載されている。
【００５１】
膨張弁４０４は、冷媒を減圧して膨張させるものである。この膨張弁４０４は、開度が可変に制御可能なもの、たとえば電子式膨張弁等で構成するとよい。
負荷側熱交換器４０５は、放熱器（凝縮器）や蒸発器として機能し、空気や水などの熱媒体と冷媒との間で熱交換を行ない、冷媒を凝縮液化又は蒸発ガス化するものである。なお、膨張弁４０４及び負荷側熱交換器４０５は、直列に接続されている。
【００５２】
冷凍サイクル装置４００の冷媒回路に循環させる冷媒としては、可燃性を有した例えばＲ３２冷媒、その他可燃性冷媒（例えば、Ｒ２９０冷媒）、二酸化炭素（ＣＯ２）や炭化水素、ヘリウム等のような自然冷媒、Ｒ４１０Ａはもちろん、Ｒ４０７Ｃ、Ｒ４０４Ａ等の代替冷媒等の塩素を含まない冷媒を採用することができる。
【００５３】
ここで、冷凍サイクル装置４００の運転動作について説明する。まず、負荷側ユニット３００で冷却運転を行なう場合を説明する。負荷側ユニット３００で冷却運転を行なう場合では、圧縮機４０１から吐出された冷媒を空気熱交換器１００Ｂに流入させるように四方弁４０２が切り替えられる。
【００５４】
低温・低圧の冷媒が圧縮機４０１によって圧縮され、高温・高圧のガス冷媒となって吐出される。圧縮機４０１から吐出された高温・高圧のガス冷媒は、四方弁４０２を通り、空気熱交換器１００Ｂに流入する。そして、空気熱交換器１００Ｂで空気に放熱し、液冷媒又は気液二相冷媒となる。空気熱交換器１００Ｂから流出した冷媒は、室外ユニット１００から流出し、負荷側ユニット３００に流入する。
【００５５】
負荷側ユニット３００に流入した冷媒は、膨張弁４０４で減圧されてから負荷側熱交換器４０５に流入する。負荷側熱交換器４０５に流入した冷媒は、空気や水などの熱媒体から吸熱することで、低温・低圧のガス冷媒となる。その後、負荷側ユニット３００から流出し、室外ユニット１００に流入する。室外ユニット１００に流入した冷媒は、四方弁４０２及びアキュムレーター４０３を通って圧縮機４０１に流入する。
【００５６】
負荷側ユニット３００で加温運転を行なう場合には、四方弁４０２が破線のように切り換えられ、その結果、空気熱交換器１００Ｂとアキュムレーター４０３とが連通し、圧縮機４０１の吐出側と負荷側熱交換器４０５とが連通する。
【００５７】
以上のように、冷凍サイクル装置４００は、トップフロー形態とサイドフロー形態とを組み合わせたハイブリットフロー形態の室外ユニット１００を備えているので、制御コントローラ１００Ｃの設置スペースを確保しつつ、室外ユニット１００の性能維持の両方を実現することができる。
【００５８】
なお、ここでは、冷凍サイクル装置４００が、冷媒の流れを切り替えて対象空間の加温又は冷却を行なうことができるものである場合を例に説明したが、四方弁４０２を設けずに、冷却運転だけを行うことができるものであってもよい。
さらに、アキュムレーター４０３は必要に応じて設ければよく、必ずしも必要なわけではない。
【符号の説明】
【００５９】
１００  室外ユニット、１００Ａ  ユニット本体、１００Ｂ  空気熱交換器、１００Ｃ  制御コントローラ、１００Ｄ  機械室、１００Ｅ１  ファン、１００Ｅ２  ファン、２００  室外ユニット、２００Ａ  ユニット本体、２００Ｂ  空気熱交換器、２００Ｃ  制御コントローラ、２００Ｄ  機械室、２００Ｅ１  ファン、２００Ｅ２  ファン、２０１  ヒートシンク、２０２  風路ダクト、２０２Ｅ２  ファン、３００  負荷側ユニット、４００  冷凍サイクル装置、４０１  圧縮機、４０２  四方弁、４０３  アキュムレーター、４０４  膨張弁、４０５  負荷側熱交換器、５００  室外ユニット、５００Ａ  ユニット本体、５００Ｂ  空気熱交換器、５００Ｃ  制御コントローラ、５００Ｄ  機械室、５００Ｅ  ファン、６００  室外ユニット、６００Ａ  ユニット本体、６００Ｂ  空気熱交換器、６００Ｃ  制御コントローラ、６００Ｄ  機械室、６００Ｅ  ファン。
【図１Ａ】
2015098157.tif 000003
【図１Ｂ】
2015098157.tif 000004
【図２Ａ】
2015098157.tif 000005
【図２Ｂ】
2015098157.tif 000006
【図３Ａ】
2015098157.tif 000007
【図３Ｂ】
2015098157.tif 000008
【図４】
2015098157.tif 000009
【図５Ａ】
2015098157.tif 000010
【図５Ｂ】
2015098157.tif 000011
【図６】
2015098157.tif 000012
【手続補正書】
【提出日】平成27年12月7日(2015.12.7)
【手続補正１】
【補正対象書類名】明細書
【補正対象項目名】０００６
【補正方法】変更
【補正の内容】
【０００６】
本発明に係る室外ユニットは、ユニット本体と、前記ユニット本体の内部に設置され、前記ユニット本体の３つの側面に沿って設置された空気熱交換器と、回転軸が前記空気熱交換器と水平になるように前記ユニット本体に設置された第１ファンと、回転軸が前記空気熱交換器と垂直になるように前記ユニット本体に設置された第２ファンと、前記第１ファンおよび前記第２ファンの運転を制御する制御コントローラと、を備え、前記制御コントローラは、前記第１ファンを運転させ、前記第２ファンを停止させるファン台数制御を行うものである。
【手続補正２】
【補正対象書類名】特許請求の範囲
【補正対象項目名】全文
【補正方法】変更
【補正の内容】
【特許請求の範囲】
【請求項１】
ユニット本体と、
前記ユニット本体の内部に設置され、前記ユニット本体の３つの側面に沿って設置された空気熱交換器と、
回転軸が前記空気熱交換器と水平になるように前記ユニット本体に設置された第１ファンと、
回転軸が前記空気熱交換器と垂直になるように前記ユニット本体に設置された第２ファンと、
前記第１ファンおよび前記第２ファンの運転を制御する制御コントローラと、
を備え、
前記制御コントローラは、前記第１ファンを運転させ、前記第２ファンを停止させるファン台数制御を行う
ことを特徴とする室外ユニット。
【請求項２】
前記制御コントローラは、ファン風量を少なくする必要があると判断すると、前記ファン台数制御を行う
ことを特徴とする請求項１に記載の室外ユニット。
【請求項３】
前記第１ファンは、前記ユニット本体の上面に設置され、
前記第２ファンは、前記空気熱交換器が設置されていない前記ユニット本体の側面に沿って設置され、
前記制御コントローラは、前記ユニット本体の内部で、前記第２ファンの下側に配置される
ことを特徴とする請求項１又は２に記載の室外ユニット。
【請求項４】
前記ユニット本体の内部であって前記制御コントローラの裏面側に設けられ、前記制御コントローラの排熱を行うヒートシンクと、
前記ヒートシンクを覆い、前記ヒートシンクを通過する風速を増加させる風路ダクトと、
を備え、
前記風路ダクトは、
一端側が前記第２ファンの周囲に位置するように設けられ、前記第２ファンの回転軸に対して垂直になるように設置されている
ことを特徴とする請求項３に記載の室外ユニット。
【請求項５】
請求項１〜４のいずれか一項に記載の室外ユニットと、
前記室外ユニットに接続される負荷側ユニットと、を備えた
ことを特徴とする冷凍サイクル装置。
【国際調査報告】
2015098157.tif 000013
2015098157.tif 000014
2015098157.tif 000015
2015098157.tif 000016